(57)【要約】【課題】より良い仕上がりの画像を提供する。【解決手段】変更部は、撮影画像における被写体以外の領域である背景領域のうちの、被写体の輪郭に沿った所定幅の輪郭領域に合成される文字もしくは図形の色、または撮影画像の背景領域の色の変更の指示に基づいて、文字または図形の色、および背景領域の少なくとも一部の色を変更し、合成部は、背景領域の少なくとも一部の色が変更された撮影画像における輪郭領域に、色が変更された文字または図形を合成する。本発明は、写真シール作成装置に適用することができる。【選択図】図１６
2014149674.tif 000002
【特許請求の範囲】
【請求項１】
利用者を被写体として撮影し、得られた撮影画像に対して前記利用者に編集入力を行わせる画像編集装置であって、
前記撮影画像における前記被写体以外の領域である背景領域のうちの、前記被写体の輪郭に沿った所定幅の輪郭領域に合成される文字もしくは図形の色、または前記撮影画像の前記背景領域の色の変更の指示に基づいて、前記文字または図形の色、および前記背景領域の少なくとも一部の色を変更する変更部と、
前記背景領域の少なくとも一部の色が変更された前記撮影画像における前記輪郭領域に、色が変更された前記文字または図形を合成する合成部と
を備える画像編集装置。
【請求項２】
前記変更部は、前記文字または図形の色の変更が指示された場合、前記文字または図形の色を変更するとともに、前記背景領域の少なくとも一部の色を、変更された前記文字または図形の色に応じた色に変更する
請求項１に記載の画像編集装置。
【請求項３】
前記変更部は、前記背景領域の色の変更が指示された場合、前記背景領域の少なくとも一部の色を変更するとともに、前記文字または図形の色を、変更された前記背景領域の少なくとも一部の色に応じた色に変更する
請求項１に記載の画像編集装置。
【請求項４】
前記利用者の名前の入力を受け付ける入力受付部をさらに備え、
前記変更部は、前記輪郭領域に合成される前記利用者の名前を表す文字の色または前記背景領域の色の変更の指示に基づいて、前記利用者の名前を表す文字の色および前記背景領域の少なくとも一部の色を変更し、
前記合成部は、前記背景領域の少なくとも一部の色が変更された前記撮影画像における前記輪郭領域に、色が変更された前記利用者の名前を表す文字を合成する
請求項１乃至３のいずれかに記載の画像編集装置。
【請求項５】
前記入力受付部は、複数の前記利用者の名前の入力を受け付け、
前記合成部は、前記撮影画像における、複数の前記利用者に対応する前記被写体の前記輪郭領域のそれぞれに、前記利用者毎の名前を表す文字を合成する
請求項４に記載の画像編集装置。
【請求項６】
前記合成部は、複数の前記利用者に対応する前記被写体の前記輪郭領域同士が重なり合う場合、前記輪郭領域同士が重なり合う領域に所定の図形を合成する
請求項５に記載の画像編集装置。
【請求項７】
前記入力受付部は、前記利用者の名前の修正入力を受け付け、
前記合成部は、前記撮影画像における前記輪郭領域に、修正された前記利用者の名前を表す文字を合成する
請求項４乃至６のいずれかに記載の画像編集装置。
【請求項８】
利用者を被写体として撮影し、得られた撮影画像に対して前記利用者に編集入力を行わせる画像編集装置の画像編集方法であって、
前記撮影画像における前記被写体以外の領域である背景領域のうちの、前記被写体の輪郭に沿った所定幅の輪郭領域に合成される文字もしくは図形の色、または前記撮影画像の前記背景領域の色の変更の指示に基づいて、前記文字または図形の色、および前記背景領域の少なくとも一部の色を変更し、
前記背景領域の少なくとも一部の色が変更された前記撮影画像における前記輪郭領域に、色が変更された前記文字または図形を合成する
ステップを含む画像編集方法。
【請求項９】
利用者を被写体として撮影し、得られた撮影画像に対して前記利用者に編集入力を行わせる処理をコンピュータに実行させるプログラムであって、
前記撮影画像における前記被写体以外の領域である背景領域のうちの、前記被写体の輪郭に沿った所定幅の輪郭領域に合成される文字もしくは図形の色、または前記撮影画像の前記背景領域の色の変更の指示に基づいて、前記文字または図形の色、および前記背景領域の少なくとも一部の色を変更し、
前記背景領域の少なくとも一部の色が変更された前記撮影画像における前記輪郭領域に、色が変更された前記文字または図形を合成する
ステップを含む処理をコンピュータに実行させるプログラム。
【発明の詳細な説明】
【技術分野】
【０００１】
本発明は、画像編集装置、画像編集方法、およびプログラムに関し、特に、より良い仕上がりの画像を提供することができるようにする画像編集装置、画像編集方法、およびプログラムに関する。
【背景技術】
【０００２】
従来、利用者を撮影し、得られた撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年、利用者は、複数人の仲間同士で写真シール機を利用する傾向にあり、ゲームにおいて生成される様々な編集済み画像が印刷されている写真シールを仲間同士で切り分け合って楽しんでいる。
【０００５】
このような写真シール機の中には、撮影した画像を編集する際に、利用者により選択されたスタンプ画像を、タッチペンの軌跡に沿って連続的に貼り付ける「コロコロスタンプ」という編集機能を備えたものがある。また、撮影した画像の中で人物の周りに所定幅で色や柄をつけることにより、その人物にいわゆるオーラがついたような画像を提供するものがある。
【０００６】
さらに、利用者に文字や図形を選択させ、それらを、撮影した画像の中の人物の周りに貼り付ける「コロ文字オーラ」という編集機能を備えたものがある（例えば、特許文献１参照）。
【先行技術文献】
【特許文献】
【０００７】
【特許文献１】特開２０１１−１３４１５１号公報
【発明の概要】
【発明が解決しようとする課題】
【０００８】
しかしながら、特許文献１の写真シール機では、撮影画像の背景の色と、コロ文字オーラの色とのバランスは考慮されておらず、得られる画像の仕上がりは、利用者の満足するものとならない恐れがあった。
【０００９】
本発明は、このような状況に鑑みてなされたものであり、より良い仕上がりの画像を提供することができるようにするものである。
【課題を解決するための手段】
【００１０】
本発明の一側面の画像編集装置は、利用者を被写体として撮影し、得られた撮影画像に対して前記利用者に編集入力を行わせる画像編集装置であって、前記撮影画像における前記被写体以外の領域である背景領域のうちの、前記被写体の輪郭に沿った所定幅の輪郭領域に合成される文字もしくは図形の色、または前記撮影画像の前記背景領域の色の変更の指示に基づいて、前記文字または図形の色、および前記背景領域の少なくとも一部の色を変更する変更部と、前記背景領域の少なくとも一部の色が変更された前記撮影画像における前記輪郭領域に、色が変更された前記文字または図形を合成する合成部とを備える。
【００１１】
前記変更部には、前記文字または図形の色の変更が指示された場合、前記文字または図形の色を変更させるとともに、前記背景領域の少なくとも一部の色を、変更された前記文字または図形の色に応じた色に変更させることができる。
【００１２】
前記変更部には、前記背景領域の色の変更が指示された場合、前記背景領域の少なくとも一部の色を変更させるとともに、前記文字または図形の色を、変更された前記背景領域の少なくとも一部の色に応じた色に変更させることができる。
【００１３】
前記利用者の名前の入力を受け付ける入力受付部をさらに設け、前記変更部には、前記輪郭領域に合成される前記利用者の名前を表す文字の色または前記背景領域の色の変更の指示に基づいて、前記利用者の名前を表す文字の色および前記背景領域の少なくとも一部の色を変更させ、前記合成部には、前記背景領域の少なくとも一部の色が変更された前記撮影画像における前記輪郭領域に、色が変更された前記利用者の名前を表す文字を合成させることができる。
【００１４】
前記入力受付部には、複数の前記利用者の名前の入力を受け付けさせ、前記合成部には、前記撮影画像における、複数の前記利用者に対応する前記被写体の前記輪郭領域のそれぞれに、前記利用者毎の名前を表す文字を合成させることができる。
【００１５】
前記合成部には、複数の前記利用者に対応する前記被写体の前記輪郭領域同士が重なり合う場合、前記輪郭領域同士が重なり合う領域に所定の図形を合成させることができる。
【００１６】
前記入力受付部には、前記利用者の名前の修正入力を受け付けさせ、前記合成部には、前記撮影画像における前記輪郭領域に、修正された前記利用者の名前を表す文字を合成させることができる。
【００１７】
本発明の一側面の画像編集方法は、利用者を被写体として撮影し、得られた撮影画像に対して前記利用者に編集入力を行わせる画像編集装置の画像編集方法であって、前記撮影画像における前記被写体以外の領域である背景領域のうちの、前記被写体の輪郭に沿った所定幅の輪郭領域に合成される文字もしくは図形の色、または前記撮影画像の前記背景領域の色の変更の指示に基づいて、前記文字または図形の色、および前記背景領域の少なくとも一部の色を変更し、前記背景領域の少なくとも一部の色が変更された前記撮影画像における前記輪郭領域に、色が変更された前記文字または図形を合成するステップを含む。
【００１８】
本発明の一側面のプログラムは、利用者を被写体として撮影し、得られた撮影画像に対して前記利用者に編集入力を行わせる処理をコンピュータに実行させるプログラムであって、前記撮影画像における前記被写体以外の領域である背景領域のうちの、前記被写体の輪郭に沿った所定幅の輪郭領域に合成される文字もしくは図形の色、または前記撮影画像の前記背景領域の色の変更の指示に基づいて、前記文字または図形の色、および前記背景領域の少なくとも一部の色を変更し、前記背景領域の少なくとも一部の色が変更された前記撮影画像における前記輪郭領域に、色が変更された前記文字または図形を合成するステップを含む処理をコンピュータに実行させる。
【００１９】
本発明においては、撮影画像における被写体以外の領域である背景領域のうちの、被写体の輪郭に沿った所定幅の輪郭領域に合成される文字もしくは図形の色、または撮影画像の背景領域の色の変更の指示に基づいて、文字または図形の色、および背景領域の少なくとも一部の色が変更され、背景領域の少なくとも一部の色が変更された撮影画像における輪郭領域に、色が変更された文字または図形が合成される。
【発明の効果】
【００２０】
本発明によれば、より良い仕上がりの画像を提供することが可能となる。
【図面の簡単な説明】
【００２１】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】撮影・表示ユニットの詳細な構成例を示す図である。
【図６】カメラの詳細な構成例を示す図である。
【図７】カメラ支持部の構成例を示す図である。
【図８】背景部の構成例を示す図である。
【図９】背景部の床の外観の構成例を示す図である。
【図１０】床の傾斜により得られる効果について説明する図である。
【図１１】背景部のクロマキー用シートについて説明する図である。
【図１２】編集部の構成例を示す図である。
【図１３】事後接客部の構成例を示す図である。
【図１４】写真シール作成装置の内部の構成例を示すブロック図である。
【図１５】制御部の詳細な構成例を示す機能ブロック図である。
【図１６】編集処理部の詳細な構成例を示す機能ブロック図である。
【図１７】写真シール作成ゲームを提供する処理について説明するフローチャートである。
【図１８】編集処理について説明するフローチャートである。
【図１９】名前入力画面の例を示す図である。
【図２０】文字オーラ合成処理について説明するフローチャートである。
【図２１】編集画面の例を示す図である。
【図２２】文字オーラの色と背景色の変更の例について説明する図である。
【図２３】文字オーラの色と背景色の変更の他の例について説明する図である。
【図２４】文字オーラ合成処理について説明するフローチャートである。
【図２５】編集画面の例を示す図である。
【図２６】名前の修正入力について説明する図である。
【図２７】名前の修正入力について説明する図である。
【図２８】編集処理について説明するフローチャートである。
【図２９】編集処理について説明するフローチャートである。
【図３０】分割パターン選択画面の例を示す図である。
【図３１】シール紙のふちの色の選択画面の例を示す図である。
【発明を実施するための形態】
【００２２】
以下、本発明を適用した具体的な実施の形態について、図面を参照しながら詳細に説明する。
【００２３】
［写真シール作成装置の外観構成］
図１は、本発明の一実施形態に係る写真シール作成装置１の外観の構成例を示す斜視図である。
【００２４】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２５】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２６】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２７】
撮影ユニット１１は、撮影部２１と背景部２２から構成される。撮影部２１と背景部２２は所定の距離だけ離れて設置され、撮影部２１と背景部２２の間に形成される空間である撮影空間において撮影作業が行われる。
【００２８】
撮影部２１は撮影作業を利用者に行わせる装置である。撮影部２１は、撮影空間に入り、撮影作業を行っている利用者の正面に位置する。撮影空間を正面に望む面を構成する撮影部２１の正面パネル４１には、撮影作業時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００２９】
背景部２２は、正面を向いて撮影作業を行っている利用者の背面側に位置する板状の部材である背面パネル５１、背面パネル５１の左端に取り付けられ、側面パネル４２Ａとほぼ同じ幅の板状の部材である側面パネル５２Ａ、および、背面パネル５１の右端に取り付けられ、側面パネル４２Ｂとほぼ同じ幅の板状の部材である側面パネル５２Ｂ（図２）から構成される。
【００３０】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３１】
撮影部２１の側面パネル４２Ａ、連結部２３Ａ、および背景部２２の側面パネル５２Ａに囲まれることによって形成される開口が撮影空間の出入り口Ｇ１となる。なお、図示はしないが、撮影部２１の側面パネル４２Ｂ、連結部２３Ｂ、および背景部２２の側面パネル５２Ｂに囲まれることによって形成される開口も撮影空間の出入り口Ｇ２となる。
【００３２】
撮影空間の上方には、撮影部２１の正面パネル４１、連結部２３Ａ、連結部２３Ｂ、および背景部２２の背面パネル５１に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３３】
なお、撮影空間にいる利用者の正面−背面方向を奥行き方向とすると、撮影ユニット１１の寸法（奥行き、幅、および高さ）は、例えば、1850mm×1800mm×2225mmとされる。
【００３４】
編集部１２は、撮影作業によって得られた画像を編集する編集作業を利用者に行わせる装置である。編集部１２は、一方の側面が撮影部２１の正面パネル４１の背面に接するように撮影ユニット１１に連結して設けられる。編集部１２には、編集作業時に利用者により用いられるタブレット内蔵モニタなどの構成が設けられる。
【００３５】
図１に示す編集部１２の構成を正面側の構成とすると、２組の利用者が同時に編集作業を行うことができるように、編集部１２の正面側と背面側には編集作業に用いられる構成がそれぞれ設けられる。
【００３６】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の左側には、柱状の形状を有し、照明装置７４の一端を支持する支持部７３Ａが設けられる。斜面７２の右側にも、照明装置７４の他端を支持する支持部７３Ｂ（図２）が設けられる。さらに、支持部７３Ａの左側には、板状の形状を有し、事後接客部１３が連結して設けられる支持部７３Ｃが設けられる。また、支持部７３Ｃの上面にはカーテンレール２６を支持する支持部７５が設けられる。
【００３７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３８】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集作業を行う編集空間となる。
【００３９】
図２は、写真シール作成装置１を別の角度から見た斜視図である。
【００４０】
事後接客部１３は利用者に対して事後接客を行う装置である。事後接客では、撮影画像や編集済みの画像が携帯電話機などの携帯端末に送信される。
【００４１】
図２に示すように、事後接客部１３は、所定の厚さを有する板状の筐体を有しており、その背面が編集部１２の左側面に接するように編集部１２に連結して設けられる。事後接客部１３の正面には、事後接客時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者に対して事後接客を行う事後接客空間となる。
【００４２】
ここで、写真シール作成ゲームの流れと、それに伴う利用者の移動について図３を参照して説明する。図３は、写真シール作成装置１を上から見た平面図である。
【００４３】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影作業を行う。
【００４４】
撮影作業を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集作業を開始する。編集空間Ａ２−１の利用者と、編集空間Ａ２−２の利用者は同時に編集作業を行うことができる。
【００４６】
編集作業が終了した後、撮影画像や編集済みの画像の中から選択された画像の印刷が開始される。画像の印刷中、編集作業を終えた利用者は、編集空間Ａ２−１で編集作業を行っていた場合には白抜き矢印＃５で示すように編集空間Ａ２−１から事後接客空間Ａ３に移動して事後接客を受ける。また、編集作業を終えた利用者は、編集空間Ａ２−２で編集作業を行っていた場合には白抜き矢印＃６で示すように編集空間Ａ２−２から事後接客空間Ａ３に移動し、事後接客空間Ａ３において事後接客を受ける。
【００４７】
画像の印刷が終了したとき、利用者は、事後接客部１３に設けられた排出口からシール紙を受け取り、一連の写真シール作成ゲームを終えることになる。
【００４８】
次に、各装置の構成について説明する。
【００４９】
［撮影部の構成］
図４は、撮影部２１の構成例を示す図である。撮影部２１は、正面パネル４１、側面パネル４２Ａ、および側面パネル４２Ｂが、箱状の形状を有するベース部４３に取り付けられることによって構成される。
【００５０】
正面パネル４１は撮影空間Ａ１で撮影作業を行う利用者の正面に位置し、側面パネル４２Ａと側面パネル４２Ｂは、それぞれ、撮影空間Ａ１で撮影作業を行う利用者の左側、右側に位置する。側面パネル４２Ａの上方には連結部２３Ａが固定され、側面パネル４２Ｂの上方には連結部２３Ｂが固定される。
【００５１】
正面パネル４１のほぼ中央には撮影・表示ユニット８１が設けられる。撮影・表示ユニット８１は、カメラ９１、カメラストロボ９２、およびタッチパネルモニタ９３から構成される。
【００５２】
カメラ９１は、CCD(Charge Coupled Device)などの撮像素子を有する撮像装置を含むように構成され、撮影空間Ａ１にいる利用者を撮影する。カメラ９１により取り込まれた動画像（ライブビュー画像）は、タッチパネルモニタ９３にリアルタイムで表示される。利用者により撮影が指示されたときなどの所定のタイミングでカメラ９１により取り込まれた画像は撮影画像（静止画像）として保存される。なお、カメラ９１により取り込まれた画像、すなわち、ライブビュー画像および撮影画像を併せて、以下、取り込み画像ともいう。
【００５３】
カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。つまり、カメラストロボ９２は、カメラ９１の上下方向の位置に応じて、被写体としての利用者の顔付近をカメラ９１の上方または下方から照射する。
【００５４】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５６】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５７】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。
【００５８】
また、足元ストロボ８６の右側には、利用者がお金を投入する硬貨投入返却口８７が設けられる。
【００５９】
さらに、下ストロボ８５の上側であって、タッチパネルモニタ９３の左側には、利用者を左下前方から照射するモニタ左ストロボ８８が設けられ、タッチパネルモニタ９３の右側には、利用者を右下前方から照射するモニタ右ストロボ８９が設けられる。
【００６０】
なお、各ストロボ内部には、蛍光灯以外の照明装置が設けられてもよい。
【００６１】
下ストロボ８５を挟んでベース部４３の上面の左右に形成されるスペース４３Ａおよび４３Ｂは、撮影作業を行う利用者が手荷物等を置くための荷物置き場として用いられる。また、正面パネル４１の例えば天井付近には、利用者に撮影作業を行わせる撮影処理の案内音声、BGM(Back Ground Music)、効果音等の音を出力するスピーカも設けられる。
【００６２】
ここで、カメラ９１の上下方向の駆動について説明する。
【００６３】
撮影処理においては、カメラ９１の上下方向の位置が、被写体としての利用者を、利用者から見て前方正面から撮影する位置と、利用者から見て前方斜め上から撮影する位置とになるように、カメラ９１を上下方向に駆動させて撮影が行われる。
【００６４】
以下、適宜、利用者を前方正面から撮影する位置にあるカメラ９１を下カメラといい、利用者を前方斜め上から撮影する位置にあるカメラ９１を上カメラという。
【００６５】
［撮影・表示ユニットの構成例］
図５は、上下方向に駆動するカメラ９１を含む撮影・表示ユニット８１の詳細な構成例を示している。
【００６６】
図５Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。
【００６７】
図５Ｂは、図５Ａの状態から、タッチパネルモニタ９３およびカバー９４を取り外した撮影・表示ユニット８１を示している。図５Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。
【００６８】
図５Ｃは、図５Ｂの状態から、アクリル板９５を取り外した撮影・表示ユニット８１を示している。図５Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。
【００６９】
つまり、図５Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。
【００７０】
また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。
【００７１】
［カメラの構成例］
図６は、カメラ９１の詳細な構成例を示している。
【００７２】
カメラ９１は、撮像装置であるカメラ本体９１Ｍがケース９１Ｃに搭載されて構成される。カメラ９１には、所定の駆動機構によりカメラ９１が上下方向に駆動することにより、カメラ本体９１Ｍのレンズの光軸に平行な軸を中心に回転する回転部９１Ｒが設けられている。また、カメラ本体９１Ｍの焦点距離（ピント）を調整するフォーカスリング９１Ｆの円周面に設けられたギアと、回転部９１Ｒの一端に設けられたギア（図示せず）とは、内側にリブが設けられたタイミングベルト９１Ｂにより連結されている。
【００７３】
すなわち、カメラ９１が上下方向に駆動することにより、回転部９１Ｒが回転し、回転部９１Ｒが回転することにより、タイミングベルト９１Ｂを介してフォーカスリング９１Ｆが回転し、カメラ本体９１Ｍのフォーカスが調整されるようになされている。具体的には、カメラ９１が下カメラの状態では、ズームインするようにフォーカスが調整され、カメラ９１が上カメラの状態では、ズームアウトするようにフォーカスが調整される。
【００７４】
また、ケース９１Ｃの側面には、突起物P1，P2が設けられている。カメラ９１は、突起物P1，P2がそれぞれ、図７に示されるようなカメラ支持部９６に設けられたガイド溝g1，g2に沿ってガイドされることで上下方向に駆動する。ガイド溝g1，g2は、カメラ支持部９６を貫通するように形成されてもよいし、貫通しないように形成されてもよい。また、図７に示されるように、ガイド溝g2は、ガイド溝g1の上端に対応する位置より上では、ガイド溝g1の上端を中心に孤を描くように形成されている。これにより、突起物P1，P2がそれぞれ、ガイド溝g1の上端、および、ガイド溝g2のガイド溝g1の上端に対応する位置に達した後、カメラ９１は、ガイド溝g1の上端を中心に、図中左方向に所定角度だけ回転し、撮影空間の下方向を撮影するようになる。
【００７５】
このような構造により、カメラ９１が下カメラの状態のときには、利用者は前方正面から撮影され、カメラ９１が上カメラの状態のときには、利用者は前方斜め上から撮影されるようになる。
【００７６】
［背景部の構成］
図８は、背景部２２の撮影空間Ａ１側の構成例を示す図である。図８Ａは、背景部２２の構成例を示す正面図であり、図８Ｂは、背景部２２の構成例を示す斜視図である。
【００７７】
背面パネル５１の上方のほぼ中央には、撮影空間Ａ１内で撮影作業を行っている利用者を後方中央から照射する背面中央ストロボ１０１が取り付けられる。
【００７８】
背面パネル５１の上方であって、出入り口Ｇ１側の位置には、撮影空間Ａ１内で撮影作業を行っている利用者を左後方から照射する背面左ストロボ１０２が取り付けられる。また、背面パネル５１の上方であって、出入り口Ｇ２側の位置には、撮影空間Ａ１内で撮影作業を行っている利用者を右後方から照射する背面右ストロボ１０３が取り付けられる。
【００７９】
また、背面パネル５１の下側で、撮影空間Ａ１において側面パネル５２Ａおよび側面パネル５２Ｂに挟まれる部分には、床１０４が設けられている。床１０４は、図９に示されるように、背面パネル５１側に近いほど高くなるように、写真シール作成装置１が設置される設置面に対して、例えば７°等の傾斜が設けられている。
【００８０】
なお、撮影空間にいる利用者の正面−背面方向を奥行き方向とすると、床１０４の寸法（奥行き、幅、および背面パネル５１側の高さ）は、例えば、550mm×1710mm×80mmとされる。
【００８１】
［床の傾斜により得られる効果］
ここで、図１０を参照して、床１０４に傾斜を設けることによって得られる効果について説明する。
【００８２】
図１０には、撮影空間Ａ１において、上カメラの状態のカメラ９１によって撮影される被写体（利用者）１１１が示されている。被写体の全身を撮影しようとする場合、上カメラによる撮影によれば、下カメラによる撮影と比較して、顔が大きく写るので、顔が強調された撮影画像を得ることができる。また、下カメラにより得られる全身画像より、上カメラにより得られる全身画像の方が、画像における被写体の割合を高めることができる。このように、上カメラによる撮影は、被写体の全身画像を得るのに好適とされている。
【００８３】
例えば、一般的な写真シール作成装置の撮影空間において、図１０Ａに示されるように、被写体１１１がカメラ９１に顔を近づけるように前傾姿勢をとった場合には、顔がより強調された撮影画像を得ることができる。
【００８４】
さらに、本発明の写真シール作成装置１のように傾斜を設けた床１０４を備えることで、図１０Ｂに示されるように、被写体１１１のかかと部分がヒールのある靴を履いているときと同じ状態となり、カメラ９１の撮像面に対する足の甲の長さが、図１０Ａの場合より長くなるので、より足が長く見える撮影画像を得ることができる。
【００８５】
特に、ヒールのある靴を履いた場合の地面と足の裏のなす角度が７°のときに最も足が長く見えるものとすると、床１０４の傾斜を７°とすることで、例えば学校指定のヒールの低い靴を履いている女子中高生であっても、ヒールのある靴を履いたときと同様に、より足が長く見える撮影画像を得ることができる。
【００８６】
また、図１０Ａに示されるように、被写体１１１が前傾姿勢をとってカメラ９１を見た場合、顎の下から首にかけての部分１１１ｎがストロボによって照射されてしまうので、撮影画像においては、顔の輪郭がわかりにくく、必要以上に顔が大きく見えてしまう恐れがある。
【００８７】
一方、図１０Ｂのように床１０４を備えることで、被写体１１１は、図１０Ａのように前傾姿勢にならず、顎を出さない姿勢で撮影することができるので、顎の下から首にかけての部分１１１ｎに影ができ、撮影画像においては、顔の輪郭が強調されて、必要以上に顔が大きく見えることを避けることができる。
【００８８】
さらに、図１０Ａにおいて、被写体１１１が前傾姿勢をとらずにカメラ９１を見た場合、撮影画像においては、上目遣いをした顔となってしまう。一方、図１０Ｂのように床１０４を備えることで、被写体１１１の視線が高くなるので、被写体１１１は、カメラ９１を自然に見ることができ、撮影画像においては、上目遣いをした顔となることを避けることができる。
【００８９】
［クロマキー用シートについて］
また、本実施の形態においては、背景部２２の撮影空間Ａ１側に、背景に利用する巻き取り式の背景カーテンや、クロマキー用のカーテンとして使用する昇降式カーテンを設けず、背景部２２を構成する背面パネル５１、側面パネル５２Ａ，５２Ｂ、および床１０４の表面にクロマキー用のシートが貼付される。
【００９０】
図１１は、背景部２２の撮影空間Ａ１側に貼付されるクロマキー用シートについて説明する図である。
【００９１】
図１１に示されるように、背面パネル５１にはクロマキー用シート１２１Ａが貼付され、側面パネル５２Ｂの下部にはクロマキー用シート１２１Ｂが貼付され、床１０４の斜面部分にはクロマキー用シート１２１Ｃが貼付される。クロマキー用シート１２１Ａ乃至１２１Ｃは、緑色のクロマキー用シートであり、これにより、いわゆるグリーンバック合成が行われる。なお、図示はしないが、側面パネル５２Ａの下部にもクロマキー用シート１２１Ｂと同様のクロマキー用シート１２１Ｃ’が貼付される。なお、図１１に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。また、側面パネル５２Ａに貼付されるクロマキー用シート１２１Ｃ’についても同様である。
【００９２】
クロマキー用シート１２１Ａ，１２１Ｂ，１２１Ｃはそれぞれ、同一の材質で構成されるようにしてもよいし、異なる材質で構成されるようにしてもよい。具体的には、例えば、撮影空間Ａ１の背面となるクロマキー用シート１２１Ａを布製とし、側面となるクロマキー用シート１２１Ｂを樹脂製または布製とし、クロマキー用シート１２１Ｃをゴム等の樹脂製としてもよい。
【００９３】
［編集部の構成］
図１２は、編集部１２の正面側（編集空間Ａ２−１側）の構成例を示す図である。
【００９４】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９５】
タブレット内蔵モニタ１３１は、タッチペン１３２Ａまたは１３２Ｂを用いて操作入力が可能なタブレットがLCDなどの編集用モニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００９６】
編集部１２の左側には事後接客部１３が設けられる。
【００９７】
［事後接客部の構成］
図１３は、事後接客部１３の正面側の構成例を示す図である。
【００９８】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどの事後接客用モニタに重畳して設けられることによって構成される。タブレット内蔵モニタ１６１には、撮影画像や編集済みの画像を携帯電話機などの携帯端末に送信する事後接客処理に用いられる画面が表示される。
【００９９】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【０１００】
非接触型ICリーダ／ライタ１６３は、近接された非接触型ICと通信を行い、非接触型ICからのデータの読み出しや非接触型ICに対するデータの書き込みを行う。
【０１０１】
シール紙排出口１６４には、編集空間Ａ２−１の利用者が編集作業を行うことによって作成した画像が印刷されたシール紙、または、編集空間Ａ２−２の利用者が編集作業を行うことによって作成した画像が印刷されたシール紙が排出される。編集部１２の内部にはプリンタが設けられており、画像の印刷がそのプリンタにより行われる。
【０１０２】
スピーカ１６５は、事後接客処理の案内音声、BGM、効果音等の音を出力する。
【０１０３】
［写真シール作成装置の内部構成］
次に、写真シール作成装置１の内部構成について説明する。図１４は、写真シール作成装置１の内部の構成例を示すブロック図である。上述した構成と同じ構成には同じ符号を付してある。なお、重複する説明については適宜省略する。
【０１０４】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【０１０５】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１０６】
通信部２０３はインターネットなどのネットワークのインタフェースであり、制御部２０１による制御に従って外部の装置と通信を行う。
【０１０７】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１０８】
ROM２０６には、制御部２０１において実行されるプログラムやデータが記憶されている。RAM２０７は、制御部２０１が処理するデータやプログラムを一時的に記憶する。
【０１０９】
撮影部２０８は、撮影空間Ａ１における撮影処理を行う構成である硬貨処理部２２１、照明装置２２２、カメラ９１、タッチパネルモニタ９３、およびスピーカ２２３から構成される。
【０１１０】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１１】
照明装置２２２は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６、モニタ左ストロボ８８、モニタ右ストロボ８９と、背景部２２に設けられる背面中央ストロボ１０１、背面左ストロボ１０２，背面右ストロボ１０３が設けられている。
【０１１２】
また、照明装置２２２は、制御部２０１による制御に従って発光量を調整することによって、利用者が行っている撮影作業の段階に応じて撮影空間Ａ１内の明るさを調整する。
【０１１３】
カメラ９１は、制御部２０１による制御に従って撮影を行い、撮影によって得られた画像を制御部２０１に出力する。
【０１１４】
スピーカ２２３は、利用者に撮影作業を行わせる撮影処理の案内音声、BGM、効果音等の音を出力する。
【０１１５】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１１６】
タブレット内蔵モニタ１３１は、制御部２０１による制御に従って、内蔵する編集用モニタに編集画面を表示し、編集画面（内蔵するタブレット）に対する利用者の操作を検出する。利用者の操作の内容を表す信号は制御部２０１に供給され、編集対象の撮影画像の編集が行われる。
【０１１７】
スピーカ２３１は、利用者に編集作業を行わせる編集処理の案内音声、BGM、効果音等の音を出力する。
【０１１８】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、スピーカ１６５、印刷処理を行う構成であるプリンタ２４１、およびシール紙ユニット２４２から構成される。
【０１１９】
タブレット内蔵モニタ１６１は、制御部２０１による制御に従って、内蔵する事後接客用モニタに事後接客に用いられる画面を表示し、その画面（内蔵するタブレット）に対する利用者の操作を検出する。利用者の操作の内容を表す信号は制御部２０１に供給され、事後接客が行われる。
【０１２０】
プリンタ２４１は、撮影画像、または編集処理によって得られた編集済みの画像を、プリンタ２４１に装着されたシール紙ユニット２４２に収納されているシール紙に印刷し、シール紙排出口１６４に排出する。
【０１２１】
［制御部の構成］
次に、制御部２０１について説明する。図１５は、制御部２０１がROM２０６などに格納されているプログラムを実行することにより実現される機能ブロックの構成例を示している。
【０１２２】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１２３】
つまり、制御部２０１は、写真シール作成ゲームの各工程に関する処理の制御を行う。
【０１２４】
［編集処理部の構成］
図１６は、図１５の編集処理部３０２の詳細な構成例を示す機能ブロック図である。
【０１２５】
編集処理部３０２は、編集処理を行うことで、GUI画像を表示したり、利用者による落書き編集入力を受け付けたり、その落書き編集入力に応じて合成用画像を撮影画像に合成したりする。つまり、編集処理部３０２は、利用者に、撮影画像に対する落書き編集機能を提供する。落書き編集機能としては、例えば、フリーハンドの線等で撮影画像に落書きを行うペン機能や、所定のスタンプ画像（合成用画像）を撮影画像の任意の位置に合成するスタンプ機能等がある。
【０１２６】
また、編集処理部３０２は、撮影画像の中で人物の周りに所定幅で色や柄をつけることにより、その人物にいわゆるオーラがついたように見えるような画像処理を施す「オーラ」という編集機能や、利用者により選択された文字や図形といったスタンプ画像を、タッチペンの軌跡に沿って連続的に撮影画像に対して貼り付ける「コロコロスタンプ」という編集機能を提供する。
【０１２７】
さらに、編集処理部３０２は、利用者により選択された文字や図形を、撮影画像の中の人物の周りに貼り付ける「文字オーラ」という編集機能を提供する。「文字オーラ」の編集機能によれば、撮影画像における被写体（人物）以外の領域である背景領域のうちの、被写体の輪郭に沿った所定幅の領域である輪郭領域に、利用者により選択された文字や図形が合成されるようになる。
【０１２８】
なお、以下においては、撮影画像における輪郭領域に合成される文字や図形そのものを、文字オーラともいう。
【０１２９】
編集処理部３０２は、表示制御部３１１、入力受付部３１２、および合成処理部３１３から構成される。
【０１３０】
表示制御部３１１は、編集部２０９におけるタブレット内蔵モニタ１３１の表示を制御する。
【０１３１】
入力受付部３１２は、タブレット内蔵モニタ１３１に対する、利用者によるタッチペン１３２Ａ，１３２Ｂを用いた操作入力を受け付ける。
【０１３２】
合成処理部３１３は、利用者により選択された合成用画像を撮影画像に合成する合成処理を行う。特に、合成処理部３１３は、「文字オーラ」の編集機能の一部を提供する変更部３２１および合成部３２２を備えている。
【０１３３】
変更部３２１は、文字オーラの色および／または撮影画像の背景領域の色を変更する利用者の指示に基づいて、その文字オーラおよび背景領域の少なくとも一部の色を変更する。
【０１３４】
合成部３２２は、変更部３２１によって背景領域の少なくとも一部の色が変更された撮影画像における輪郭領域に、変更部３２１によってその色が変更された文字オーラを合成する。
【０１３５】
［写真シール作成装置の動作］
ここで、図１７のフローチャートを参照して、写真シール作成ゲームを提供する写真シール作成装置１の処理について説明する。
【０１３６】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１３７】
硬貨が投入されたとステップＳ１において判定した場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。
【０１３８】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２３から出力させることによって行われる。
【０１３９】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。なお、編集処理については、図１８のフローチャートを参照して後述する。
【０１４０】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４１】
ステップＳ６において、印刷処理部３０３は、利用者により選択された画像をプリンタ２４１に出力してシール紙に印刷させる印刷処理を行う。
【０１４２】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１４３】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６４に排出し、処理を終了させる。
【０１４４】
［編集処理の例］
次に、図１８のフローチャートを参照して、画像編集装置としての写真シール作成装置１によって実行される、上述した写真シール作成ゲームの一連の処理におけるステップＳ４の編集処理について説明する。
【０１４５】
ステップＳ３１において、編集処理部３０２の表示制御部３１１は、撮影部２０８において得られた撮影画像の中から落書き編集の対象である編集対象画像を選択させるための選択画面をタブレット内蔵モニタ１３１に表示させ、利用者に編集対象画像を選択させる。
【０１４６】
入力受付部３１２が、撮影画像の中から例えば６枚の編集対象画像を選択する利用者の操作入力を受け付けると、ステップＳ３２において、表示制御部３１１は、例えば図１９に示されるような、利用者に名前を入力させるための名前入力画面をタブレット内蔵モニタ１３１に表示させる。
【０１４７】
図１９に示されるように、名前入力画面４０１の左側には、タブレット内蔵モニタ１３１に対して左側の利用者が、自分の顔を選択するための顔選択部４１１−１と、自分の名前を入力するための名前入力部４１２−１とが表示されている。顔選択部４１１−１に表示される被写体としての利用者の顔は、例えば撮影画像のうちの所定の１枚から抽出された顔画像とされる。名前入力部４１２−１には、ひらがな表示欄４２１−１、ローマ字表示欄４２２−１、戻るボタン４２３−１、消去ボタン４２４−１、ひらがなキー４２５−１、ＯＫボタン４２６−１、およびスキップボタン４２７−１が表示されている。
【０１４８】
また、名前入力画面４０１の右側には、名前入力画面４０１の左側と同様に、タブレット内蔵モニタ１３１に対して右側の利用者が、自分の顔を選択するための顔選択部４１１−２と、自分の名前を入力するための名前入力部４１２−２とが表示されている。顔選択部４１１−２に表示される被写体としての利用者の顔もまた、例えば撮影画像のうちの所定の１枚から抽出された顔画像とされる。名前入力部４１２−２には、ひらがな表示欄４２１−２、ローマ字表示欄４２２−２、戻るボタン４２３−２、消去ボタン４２４−２、ひらがなキー４２５−２、ＯＫボタン４２６−２、およびスキップボタン４２７−２が表示されている。
【０１４９】
例えば、タブレット内蔵モニタ１３１に対して左側の利用者が、ひらがなキー４２５−１において所定の文字のキーを選択すると、ひらがな表示欄４２１−１およびローマ字表示欄４２２−１には、それぞれ対応するひらがなおよびローマ字が表示される。
【０１５０】
戻るボタン４２３−１が選択されると、ひらがな表示欄４２１−１およびローマ字表示欄４２２−１に表示されているひらがな１文字分のひらがなおよびローマ字が消去され、消去ボタン４２４−１が選択されると、ひらがな表示欄４２１−１およびローマ字表示欄４２２−１に表示されている全てのひらがなおよびローマ字が消去される。
【０１５１】
ＯＫボタン４２６−１が選択されると、ひらがな表示欄４２１−１およびローマ字表示欄４２２−１に表示されているひらがなおよびローマ字が、顔選択部４１１−１において選択された顔に対応する被写体（利用者）に紐付けられる。
【０１５２】
以上のようにして、タブレット内蔵モニタ１３１に対して左側の利用者による名前入力が行われる。なお、スキップボタン４２７−１が選択されると、タブレット内蔵モニタ１３１に対して左側の利用者による名前入力は行われない。
【０１５３】
名前入力画面４０１の右側についても、タブレット内蔵モニタ１３１に対して右側の利用者による名前入力が行われる。
【０１５４】
図１８のフローチャートに戻り、ステップＳ３３において、入力受付部３１２は、名前入力画面４０１に対する利用者による名前入力を受け付ける。これにより、撮影画像における被写体と、入力された名前とが紐付けられ、その情報がRAM２０７や記憶部２０２に記憶される。
【０１５５】
ステップＳ３４において、表示制御部３１１は、編集対象画像としての撮影画像の背景領域に合成される背景画像の色味群を選択させるための選択画面をタブレット内蔵モニタ１３１に表示させ、利用者に所望の色味群の背景を選択させる。背景画像の色味群は、背景画像の色味（色の感じ）による分類を表し、例えば、ふんわりした色味による分類を表す色味群「パステル」や、くっきりした色味による分類を表す色味群「ビビッド」等がある。
【０１５６】
背景画像の色味群が選択されると、例えば６枚の編集対象画像それぞれの背景画像の色を利用者に選択させる。背景画像の色は、編集対象画像１枚毎に選択されるようにしてもよいし、所定の色の組み合わせ（背景セット）として一括で選択されるようにしてもよい。
【０１５７】
利用者が背景を選択すると、表示制御部３１１は、次に、タブレット内蔵モニタ１３１に編集開始ボタンのGUI画像を表示する。利用者により、タッチペン１３２Ａ，１３２Ｂを用いて、その編集開始ボタンが操作されると、ステップＳ３５において、表示制御部３１１は、タッチパネルモニタ９３に編集画面を表示させる。
【０１５８】
ステップＳ３６において、入力受付部３１２は、編集部２０９のタブレット内蔵モニタ１３１やタッチペン１３２Ａ，１３２Ｂを制御し、利用者からの編集対象画像の選択指示および落書き編集入力の受け付けを開始する。
【０１５９】
ステップＳ３７において、入力受付部３１２は、タブレット内蔵モニタ１３１より供給される入力信号（すなわち、タブレット内蔵モニタ１３１やタッチペン１３２Ａ，１３２Ｂにより受け付けられた位置情報）に基づいて、利用者による指示が入力されたか否かを判定する。利用者等によりタッチペン１３２Ａ，１３２Ｂが操作され、タブレット内蔵モニタ１３１に表示された編集画面に対して、位置情報が入力されたと判定された場合、処理はステップＳ３８に進み、編集処理部３０２は、入力座標に基づいて入力された指示内容を把握し、その指示に対応する処理を行う。
【０１６０】
例えば、合成処理部３１３は、利用者により、落書き編集の対象となる編集画像として選択された編集対象画像を編集用に大きく表示したり、合成用画像の合成指示に基づいて合成用画像を編集画像に合成し、その結果得られる合成画像を表示したりする。また、ここでは、「オーラ」や「コロコロスタンプ」、「文字オーラ」といった編集機能も提供される。
【０１６１】
入力に対応する処理が終了すると、処理はステップＳ３９に進む。なお、ステップＳ３７において指示が入力されていないと判定された場合、ステップＳ３８はスキップされ、処理はステップＳ３９に進む。
【０１６２】
ステップＳ３９において、編集処理部３０２は、所定の時間（制限時間）が経過したか、または、編集画面上に設けられている終了ボタンが操作されたか否かを判定し、制限時間にも達しておらず、終了ボタンも操作されていないと判定された場合、処理はステップＳ３７に戻り、それ以降の処理が繰り返される。そして、ステップＳ３９において、所定の時間が経過した、または、終了ボタンが操作されたと判定された場合、処理はステップＳ４０に進む。
【０１６３】
ステップＳ４０において、編集処理部３０２は、落書き編集が行われた編集済み画像を、印刷用の画像である印刷画像として保存する。なお、この「保存する」とは、単に編集済み画像を印刷処理を行う印刷処理部３０３に提供することを示すものであり、実際に、データを、RAM２０７や記憶部２０２に保存するかしないかは任意である。
【０１６４】
ステップＳ４０において編集済み画像が保存されると、編集画面の表示が終了されるとともに、編集入力の受け付けが終了され、処理は図１７のフローチャートのステップＳ４に戻り、ステップＳ５以降の処理が行われる。
【０１６５】
以上のような編集処理により編集作業は行われる。
【０１６６】
［文字オーラ合成処理について］
ここで、図２０のフローチャートを参照して、画像編集装置としての写真シール作成装置１によって実行され、図１８の編集処理のステップＳ３７において提供される「文字オーラ」の編集機能を実現する文字オーラ合成処理について説明する。
【０１６７】
なお、文字オーラ合成処理は、表示制御部３１１の制御によってタブレット内蔵モニタ１３１に表示される編集画面の中の編集用パレットにおいて、編集機能毎に表示されるタブの中から、「文字オーラ」の編集機能を提供するためのタブが選択されると開始される。
【０１６８】
ステップＳ６１において、表示制御部３１１は、図２１に示されるように、タブレット内蔵モニタ１３１に表示される編集画面の中の編集用パレットに、文字オーラが合成されたサンプル画像（以下、文字オーラサンプル画像という）を表示させる。
【０１６９】
図２１は、文字オーラ合成処理時の編集画面の構成例を示す図である。図２１に示されるように、編集画面５０１には、主な構成が、一部を除き左右に２つずつ設けられている。これにより、基本的に同じ組の２人の利用者が同時に落書き編集入力を行うことができる。
【０１７０】
編集画像表示部５１１−１には、タブレット内蔵モニタ１３１に対して左側の利用者が編集画像として選択した編集対象画像が表示され、編集画像表示部５１１−２には、タブレット内蔵モニタ１３１に対して右側の利用者が編集画像として選択した編集対象画像が表示されている。
【０１７１】
編集画像表示部５１１−１，５１１−２それぞれの下側には、編集画像表示部５１１−１，５１１−２に表示されている編集画像に対して、落書き編集入力を行うための編集機能を提供する編集ツールを利用者に選択させるための編集用パレット５１２−１，５１２−２が表示されている。
【０１７２】
編集用パレット５１２−１，５１２−２には、編集ツールが、「おすすめ」、「ペン」、「スタンプ」、「フォント」、「変身」といったカテゴリ毎のタブで表示されるようになされており、図２１の例では、いずれにおいても「おすすめ」タブが選択されている。
【０１７３】
さらに、図２１に示されるように、「おすすめ」タブには、編集ツールが、「ＲＵＭＯＲ」、「オーラ」、「日付」、「おなまえ」、「おなまえ入りメッセージ」、「彼氏・彼女」、「おしゃれ手書き」、「一発落書き」といったジャンル毎のタブで表示されるようになされている。図２１の例では、編集用パレット５１２−１において、「オーラ」タブが選択されており、編集用パレット５１２−２において、「ＲＵＭＯＲ」タブが選択されている。
【０１７４】
なお、それぞれのタブで表示される編集ツールによって提供される編集機能の詳細については、ここでは説明を省略するが、「オーラ」タブで表示される編集ツールによって提供される編集機能が、「文字オーラ」の編集機能とされる。すなわち、この例では、タブレット内蔵モニタ１３１に対して左側の利用者の操作によって、文字オーラ合成処理が実行される。
【０１７５】
「オーラ」タブが選択されている編集用パレット５１２−１には、文字オーラサンプル画像５３１、文字色変更ボタン５３２、文字オーラオフボタン５３３が表示されている。
【０１７６】
文字オーラサンプル画像５３１は、モデルを被写体として撮影したモデル画像における輪郭領域に文字オーラが合成された画像であり、図２１の例では、１０種類の文字や図形が文字オーラとして合成された画像が表示されている。１０枚の文字オーラサンプル画像５３１のうちのいずれかが利用者に選択されると、対応する文字オーラが、編集画像表示部５１１−１に表示されている編集画像に合成されるようになる。
【０１７７】
なお、１０枚の文字オーラサンプル画像５３１のうち、上段左の２枚は、図１８のステップＳ３３において利用者によって入力された利用者の名前を表す文字（文字列）が文字オーラとして合成されている名前オーラサンプル画像５３１ａ，５３１ｂとされる。ここで、文字オーラとして輪郭領域に合成される利用者の名前を表す文字列を、以下、名前オーラという。
【０１７８】
利用者が複数である場合、名前オーラにおいては、それぞれの利用者の名前を表す文字列が順番に繰り返して配列され表示される。例えば、利用者が２人である場合、それぞれの利用者の名前として、「なつみ」、「どうむ」のひらがなが入力されたとすると、名前オーラにおいては、「ＮＡＴＳＵＭＩ＿ＤＯＭＵ＿ＮＡＴＳＵＭＩ＿ＤＯＭＵ＿・・・」（“＿”には、ハート型や星型等の図形が表示される）のように、２人の利用者の名前を表すローマ字が繰り返して配列され表示されるようになる。
【０１７９】
なお、名前オーラサンプル画像５３１ａ，５３１ｂ以外の文字オーラサンプル画像５３１に合成されている文字オーラは、予め設定されている文字（文字列）や図形が繰り返して配列され表示されるものとする。
【０１８０】
文字色変更ボタン５３２は、文字オーラサンプル画像５３１に合成されている文字オーラの色（以下、文字色という）を変更するためのボタンである。図２１の例では、文字色を、黒色、白色、濃いピンク色にするためのボタンが表示されており、文字色を黒色にするためのボタンが選択されている。
【０１８１】
また、文字オーラオフボタン５３３は、編集画像表示部５１１−１に表示されている編集画像に合成された文字オーラを消去するためのボタンである。なお、文字オーラオフボタン５３３によって、文字オーラサンプル画像５３１に合成されている文字オーラが消去されるようにしてもよい。
【０１８２】
さて、図２０のフローチャートに戻り、編集用パレット５１２−１に文字オーラサンプル画像５３１が表示された状態で、ステップＳ６２において、入力受付部３１２は、文字色の変更の指示を受け付けたか否か、すなわち、文字色変更ボタン５３２が操作されたか否かを判定する。
【０１８３】
ステップＳ６２において、文字色の変更の指示を受け付けたと判定されると、すなわち、文字色変更ボタン５３２が操作されると、処理はステップＳ６３に進み、変更部３２１は、文字色変更ボタン５３２において選択された色に、文字オーラサンプル画像５３１の文字オーラの文字色を変更する。
【０１８４】
続いてステップＳ６４において、変更部３２１は、変更された文字オーラの文字色に応じて、文字オーラサンプル画像５３１の背景領域の色（以下、背景色という）を変更する。具体的には、文字オーラサンプル画像５３１の背景領域の背景色は、文字オーラの文字色の補色や、文字オーラの文字色と同じ系統色であって濃淡や明暗が異なる色に変更される。
【０１８５】
図２２は、変更された文字オーラの文字色に応じて背景領域の背景色が変更された文字オーラサンプル画像の例を示している。
【０１８６】
例えば、文字色変更ボタン５３２において黒色のボタンが選択されると、図２２Ａに示されるように、文字オーラサンプル画像において、文字オーラの文字色が黒色に変更されるとともに、背景領域の背景色が白色に変更される。また、文字色変更ボタン５３２において白色のボタンが選択されると、図２２Ｂに示されるように、文字オーラサンプル画像において、文字オーラの文字色が白色に変更されるとともに、背景領域の背景色が黒色に変更される。さらに、文字色変更ボタン５３２において濃いピンク色のボタンが選択されると、図２２Ｃに示されるように、文字オーラサンプル画像において、文字オーラの文字色が濃いピンク色に変更されるとともに、背景領域の背景色が淡い（薄い）ピンク色に変更される。
【０１８７】
なお、ステップＳ６３，Ｓ６４においては、編集用パレット５１２−１に表示されている文字オーラサンプル画像５３１全ての文字色および背景色が変更されてもよいし、表示されている文字オーラサンプル画像５３１のうちの一部の文字オーラサンプル画像の文字色および背景色が変更されてもよい。
【０１８８】
ステップＳ６４の後、処理はステップＳ６２に戻り、ステップＳ６２乃至Ｓ６４の処理が繰り返される。そして、ステップＳ６２において、文字色の変更を受け付けていないと判定されると、処理はステップＳ６５に進む。
【０１８９】
ステップＳ６５において、入力受付部３１２は、文字オーラサンプル画像５３１のいずれかが選択されたか否かを判定する。
【０１９０】
ステップＳ６５において、文字オーラサンプル画像５３１のいずれも選択されていないと判定されると、処理はステップＳ６２に戻り、ステップＳ６２乃至Ｓ６５の処理が繰り返される。
【０１９１】
一方、ステップＳ６５において、文字オーラサンプル画像５３１のいずれかが選択されたと判定されると、処理はステップＳ６６に進み、変更部３２１は、編集画像表示部５１１−１に表示されている編集画像の背景色を、文字オーラサンプル画像５３１の背景色と同一の色に変更する。
【０１９２】
ステップＳ６７において、合成部３２２は、ステップＳ６３において文字色が変更され、ステップＳ６５において選択された文字オーラサンプル画像５３１に合成されている文字オーラを、編集画像表示部５１１−１に表示されている、背景色が変更された編集画像における輪郭領域に合成する。
【０１９３】
以上の処理によれば、写真シール作成装置において、文字オーラの文字色の変更が指示されると、文字オーラの文字色が変更されるとともに、編集画像の背景色が文字オーラの文字色に応じた色に変更され、その背景色が変更された編集画像に、文字色が変更された文字オーラが合成されるようになる。これにより、撮影画像の背景の色と、文字オーラの色とのバランスが考慮された、より良い仕上がりの画像を提供することが可能となり、写真シール作成装置の利用者の満足度をより向上させることが可能となる。
【０１９４】
なお、以上においては、文字オーラの文字色に応じて、文字オーラサンプル画像５３１（編集画像）における背景領域全体の背景色が変更されるものとしたが、背景領域の一部の背景色が変更されるようにしてもよい。
【０１９５】
例えば、文字色変更ボタン５３２において白色のボタンが選択された場合、図２３に示されるように、文字オーラサンプル画像において、文字オーラの文字色が白色に変更されるとともに、背景領域のうちの輪郭領域５５１の背景色が黒色に変更されるようにしてもよい。このとき、背景領域のうちの輪郭領域５５１以外の領域５５２の背景色は変更されないようにする。
【０１９６】
なお、背景領域の一部として、上述したような輪郭領域の背景色が変更される以外にも、例えば、文字オーラの文字や図形それぞれを基準とした所定距離の範囲内の領域の背景色が変更されるようにしてもよいし、文字や図形それぞれの周囲で背景色が変更される領域の大きさや形状を設定するテンプレートを文字や図形毎に用意し、そのテンプレートで設定される大きさや形状の領域の背景色が変更されるようにしてもよい。さらに、背景色が変更される背景領域の一部においては、その領域の色が１つの色に変更される以外にも、その領域の色が文字や図形それぞれからの距離に応じたグラデーションで表現されるようにしてもよいし、そもそも背景色が変更されるのではなく、合成される文字オーラの文字色の明度との比較によって、その領域の色の明暗が変更されるようにしてもよい。
【０１９７】
また、以上においては、文字オーラの文字色に応じて、文字オーラサンプル画像５３１（編集画像）における背景領域の少なくとも一部の背景色が変更されるものとしたが、背景領域の背景色の変更を受け付けるようにして、背景領域の背景色に応じて、文字オーラの文字色が変更されるようにしてもよい。
【０１９８】
［文字オーラ合成処理の他の例について］
ここで、図２４のフローチャートを参照して、背景領域の背景色の変更を受け付け、変更された背景領域の背景色に応じて、文字オーラの文字色を変更する文字オーラ合成処理について説明する。
【０１９９】
なお、図２４のフローチャートのステップＳ９５乃至Ｓ９７の処理は、図２０のフローチャートのステップＳ６５乃至Ｓ６７の処理とそれぞれ同一であるので、その説明は省略する。
【０２００】
すなわち、ステップＳ９１において、表示制御部３１１は、図２５に示されるように、タブレット内蔵モニタ１３１に表示される編集画面の中の編集用パレットに、文字オーラサンプル画像５３１を表示させる。
【０２０１】
図２５は、図２４の文字オーラ合成処理時の編集画面の構成例を示す図である。なお、図２５の編集画面５０１において、図２１の編集画面５０１と異なるのは、文字色変更ボタン５３２に代えて、背景色変更ボタン５７１が設けられている点である。
【０２０２】
背景色変更ボタン５７１は、文字オーラサンプル画像５３１の背景領域の背景色を変更するためのボタンである。図２５の例では、背景色を、白色、黒色、淡いピンク色にするためのボタンが表示されており、背景色を白色するためのボタンが選択されている。
【０２０３】
さて、図２４のフローチャートに戻り、編集用パレット５１２−１に文字オーラサンプル画像５３１が表示された状態で、ステップＳ９２において、入力受付部３１２は、背景色の変更の指示を受け付けたか否か、すなわち、背景色変更ボタン５７１が操作されたか否かを判定する。
【０２０４】
ステップＳ９２において、背景色の変更の指示を受け付けたと判定されると、すなわち、背景色変更ボタン５７１が操作されると、処理はステップＳ９３に進み、変更部３２１は、背景色変更ボタン５７１において選択された色に、文字オーラサンプル画像５３１の背景領域の背景色を変更する。
【０２０５】
続いてステップＳ９４において、変更部３２１は、変更された背景領域の背景色に応じて、文字オーラサンプル画像５３１の文字オーラの文字色を変更する。具体的には、文字オーラサンプル画像５３１の文字オーラの文字色は、背景領域の背景色の補色や、背景領域の背景色と同じ系統色であって濃淡や明暗が異なる色に変更される。
【０２０６】
例えば、背景色変更ボタン５７１において白色のボタンが選択されると、文字オーラサンプル画像において、背景領域の背景色が白色に変更されるとともに、文字オーラの文字色が黒色に変更される。また、背景色変更ボタン５７１において黒色のボタンが選択されると、文字オーラサンプル画像において、背景領域の背景色が黒色に変更されるとともに、文字オーラの文字色が白色に変更される。さらに、背景色変更ボタン５７１において淡いピンク色のボタンが選択されると、文字オーラサンプル画像において、背景領域の背景色が淡いピンク色に変更されるとともに、文字オーラの文字色が濃いピンク色に変更される。
【０２０７】
なお、ステップＳ９３，Ｓ９４においても、編集用パレット５１２−１に表示されている文字オーラサンプル画像５３１全ての文字色および背景色が変更されてもよいし、表示されている文字オーラサンプル画像５３１のうちの一部の文字オーラサンプル画像の文字色および背景色が変更されてもよい。
【０２０８】
ステップＳ９４の後、処理はステップＳ９２に戻り、ステップＳ９２乃至Ｓ９４の処理が繰り返される。そして、ステップＳ９２において、背景色の変更を受け付けていないと判定されると、処理はステップＳ９５に進む。
【０２０９】
以上の処理によれば、写真シール作成装置において、背景領域の背景色の変更が指示されると、背景領域の背景色が変更されるとともに、文字オーラの文字色が背景領域の背景色に応じた色に変更され、その背景色が変更された編集画像に、文字色が変更された文字オーラが合成されるようになる。これにより、撮影画像の背景の色と、文字オーラの色とのバランスが考慮された、より良い仕上がりの画像を提供することが可能となり、写真シール作成装置の利用者の満足度をより向上させることが可能となる。
【０２１０】
ところで、上述したように、利用者によって入力された利用者の名前を表す文字は、撮影画像における被写体それぞれに紐付けられている。そこで、複数の利用者の名前が入力された場合、文字オーラ合成処理において、名前オーラサンプル画像５３１ａまたは５３１ｂが選択されたときには、合成部３２２は、編集画像における被写体の輪郭領域のそれぞれに、利用者毎の名前オーラを合成するようにしてもよい。
【０２１１】
例えば、２人の利用者の名前として、「なつみ」、「どうむ」のひらがなが入力されたとすると、編集画像において、「なつみ」に対応する被写体の輪郭領域には、「ＮＡＴＳＵＭＩ＿ＮＡＴＳＵＭＩ＿ＮＡＴＳＵＭＩ＿・・・」（“＿”には、所定の図形が表示される）のように、「なつみ」に対応する利用者の名前を表すローマ字が名前オーラとして合成され、「どうむ」に対応する被写体の輪郭領域には、「ＤＯＭＵ＿ＤＯＭＵ＿ＤＯＭＵ＿・・・」のように、「どうむ」に対応する利用者の名前を表すローマ字が名前オーラとして合成されるようになる。
【０２１２】
このように、利用者が複数の場合、撮影画像における被写体それぞれの周りに、利用者毎の名前が文字オーラとして合成されるので、面白みのある画像を提供することが可能となる。
【０２１３】
また、編集画像における被写体と被写体との隙間にも名前オーラが合成され、名前オーラ同士が重なり合ってしまう場合、合成部３２２は、名前オーラ同士が重なり合う領域にハート型や星型等の図形を合成するようにしてもよい。
【０２１４】
これにより、名前オーラ同士が重なることなく、見栄えの良い画像を提供することが可能となる。なお、名前オーラ同士が重なり合う領域に所定の図形を合成する以外にも、名前オーラ同士が重なり合う領域には何も合成させないようにしてもよい。
【０２１５】
さらに、一度利用者によって入力された名前の修正を、上述した編集処理の中で受け付けるようにすることもできる。
【０２１６】
［名前の修正入力について］
図２６は、名前の修正入力を受け付ける編集画面の構成例を示す図である。なお、図２６の編集画面において、図２１および図２５の編集画面と異なるのは、「おすすめ」タブが選択されている編集用パレット５１２−１において、「オーラ」タブではなく、「おなまえ入りメッセージ」タブが選択されている点である。「おなまえ入りメッセージ」タブで表示される編集ツールによれば、利用者により入力された利用者の名前を表す文字列と各種のメッセージとが含まれるスタンプ画像が、編集画像に合成されるようになる。
【０２１７】
「おなまえ入りメッセージ」タブが選択されている編集用パレット５１２−１には、上述したスタンプ画像を選択するための複数のアイコンの他、おなまえ修正ボタン５９１が表示されている。また、「ＲＵＭＯＲ」タブが選択されている編集用パレット５１２−２には、所定のスタンプ画像を選択するための複数のアイコンの他、おなまえ修正ボタン５９２が表示されている。
【０２１８】
おなまえ修正ボタン５９１，５９２は、利用者により入力された利用者の名前を修正するためのボタンである。
【０２１９】
例えば、タブレット内蔵モニタ１３１に対して左側の利用者によりおなまえ修正ボタン５９１が操作されることで、入力受付部３１２が利用者の名前の修正入力を受け付けると、図２７に示されるように、編集画面５０１上の左側に、名前修正パレット６１１が表示される。
【０２２０】
名前修正パレット６１１の上側には、「ひだりの人」の表記の下方に、タブレット内蔵モニタ１３１に対して左側の利用者の名前の修正に用いられるひらがな表示欄６２１−１、ローマ字表示欄６２２−１、戻るボタン６２３−１、消去ボタン６２４−１、およびローマ字修正ボタン６２５−１が表示され、「みぎの人」の表記の下方に、タブレット内蔵モニタ１３１に対して右側の利用者の名前の修正に用いられるひらがな表示欄６２１−２、ローマ字表示欄６２２−２、戻るボタン６２３−２、消去ボタン６２４−２、およびローマ字修正ボタン６２５−２が表示されている。
【０２２１】
また、名前修正パレット６１１の下側には、ひらがなキー６２６、ＯＫボタン６２７、およびキャンセルボタン６２８が表示されている。
【０２２２】
名前修正パレット６１１が表示されると、ひらがな表示欄６２１−１およびローマ字表示欄６２２−１には、予め入力された左側の利用者の名前を表すひらがなおよびローマ字が表示され、ひらがな表示欄６２１−２およびローマ字表示欄６２２−２には、予め入力された右側の利用者の名前を表すひらがなおよびローマ字が表示される。
【０２２３】
このように表示された利用者の名前の修正入力は、入力受付部３１２によって受け付けられ、戻るボタン６２３−１，６２３−２、消去ボタン６２４−１，６２４−２、ローマ字修正ボタン６２５−１，６２５−２、ひらがなキー６２６、およびＯＫボタン６２７が用いられることで、名前入力画面４０１（図１９）における名前入力と同様にして行われる。
【０２２４】
なお、タブレット内蔵モニタ１３１に対して左側の利用者によりおなまえ修正ボタン５９１が操作された場合、図２７に示されるように、タブレット内蔵モニタ１３１に対して右側の利用者による名前の修正入力を受け付けないようにするために、編集用パレット５１２−２において、おなまえ修正ボタン５９２は非表示とされる。
【０２２５】
また、タブレット内蔵モニタ１３１に対して右側の利用者によりおなまえ修正ボタン５９２が操作された場合には、タブレット内蔵モニタ１３１に対して左側の利用者による名前の修正入力を受け付けないようにするために、編集用パレット５１２−１において、おなまえ修正ボタン５９１は非表示とされる。
【０２２６】
このようにして利用者の名前の修正入力が受け付けられ、再度、文字オーラ合成処理が実行され、その中で名前オーラサンプル画像が選択されると、合成部３２２は、編集画像における輪郭領域に、修正された利用者の名前を表す文字列としての名前オーラを合成する。これにより、利用者は、編集作業中に思いついた所望の名前を用いた名前オーラを、編集画像に合成することができるようになるので、より面白みのある画像を提供することが可能となる。
【０２２７】
なお、図２７の名前修正パレット６１１において、「ひだりの人」および「みぎの人」の表記に代えて、対応する被写体の顔画像を表示させるようにしてもよい。
【０２２８】
また、上述してきた文字オーラ合成処理においては、文字オーラの文字色または背景領域の背景色の変更の指示に基づいて、文字オーラの文字色および背景領域の少なくとも一部の背景色が変更されるものとしたが、文字オーラの文字色および背景領域の少なくとも一部の背景色の濃淡や明暗が変更されるようにしてもよい。
【０２２９】
さらに、文字オーラについては、文字オーラの文字色または背景領域の背景色の変更の指示に基づいて、文字オーラにおける文字のフォントやスタイル（斜体、太字等）、囲み線の有無等の文字の書式が変更されるようにしてもよい。
【０２３０】
ところで、近年の写真シール機においては、最終的に印刷されるシール紙に配置される編集済み画像のレイアウトを利用者に選択させるものがある。このような写真シール機において、利用者は、そのレイアウトとともに、シール紙において編集済み画像が配置される領域以外の領域に印刷される画像（領域外画像）を、複数の中から選択することができる。
【０２３１】
しかしながら、利用者が選択可能な領域外画像が、シール紙に配置される編集済み画像の雰囲気と必ずしも合ったものであるとは限らず、例えば６枚の編集済み画像が配置されて印刷されるシール紙は、全体的に統一感のないものとなり、ひいては、写真シール機の利用者の満足度を低下させる恐れがあった。
【０２３２】
そこで、以下においては、印刷されるシール紙を全体的に統一感のあるものとする処理について説明する。
【０２３３】
［統一感のあるシール紙を提供するための編集処理］
図２８および図２９は、統一感のあるシール紙を提供するための編集処理の流れの例を説明するフローチャートである。
【０２３４】
なお、図２８のフローチャートのステップＳ１３１乃至Ｓ１３９における処理は、図１８のフローチャートのステップＳ３１乃至Ｓ３９における処理と同様であるので、その説明は省略する。
【０２３５】
すなわち、ステップＳ１３９において、所定の時間が経過した、または、終了ボタンが操作されたと判定された後、処理は図２９のステップＳ１４０に進み、表示制御部３１１は、タブレット内蔵モニタ１３１に、シールレイアウトを決定するシール紙の分割パターンを選択させる分割パターン選択画面を表示させ、利用者に分割パターンを選択させる。ここで、シールレイアウトは、写真シール作成ゲームの一連の処理において最終的に出力されるシール紙における印刷画像（編集済み画像）の配置を示すものである。
【０２３６】
図３０は、分割パターン選択画面の例を示している。
【０２３７】
分割パターンには、シール紙が２枚にカットされて出力されるシールレイアウトを選択させる「２人用」、シール紙が３枚または４枚にカットされて出力されるシールレイアウトを選択させる「３人用・４人用」、シール紙に対して印刷画像のサイズを大きくまたは小さくしたシールレイアウトを選択させる「大分割・小分割」、およびシール紙に配置される複数の印刷画像のうちの一部の印刷画像のサイズを大きくしたシールレイアウトを選択させる「記念日分割」がある。
【０２３８】
図３０の分割パターン選択画面には、それぞれの分割パターンを選択させるためのボタンが表示されている。図３０の例では、分割パターンとして「２人用」が選択されており、２人の利用者がシールレイアウトを選択・決定することができるようになされている。
【０２３９】
ステップＳ１４１において、入力受付部３１２は、デザイン画像を選択させる分割パターンが選択されたか否かを判定する。
【０２４０】
ここで、デザイン画像は、シール紙において印刷画像が配置される領域以外の領域に印刷される画像であり、デザイン画像を選択させる分割パターンは、例えば「２人用」および「記念日分割」であるものとする。
【０２４１】
ステップＳ１４１において、デザイン画像を選択させる分割パターンが選択されたと判定された場合、すなわち、分割パターンとして、「２人用」または「記念日分割」が選択された場合、ステップＳ１４２において、表示制御部３１１は、複数のデザイン画像を、分割パターン選択画面に表示させ、利用者に選択させる。ここでは、分割パターンとして、「２人用」が選択されたものとする。
【０２４２】
図３０に示される、分割パターンとして「２人用」が選択されている分割パターン選択画面には、タブレット内蔵モニタ１３１に対して左側の利用者に操作される分割パターン選択操作画面６５１−１と、タブレット内蔵モニタ１３１に対して右側の利用者に操作される分割パターン選択操作画面６５１−２とが表示されている。
【０２４３】
分割パターン選択操作画面６５１−１には、デザイン画像６６１−１，６６２−１、ＯＫボタン６６３−１、および選択済デザイン画像６６４−１が表示されている。
【０２４４】
デザイン画像６６１−１，６６２−１は、上述したように、シール紙において印刷画像が配置される領域以外の領域に印刷される画像（領域外画像）であり、それぞれ色や図柄、文言で装飾されている。デザイン画像６６１−１，６６２−１には、それぞれのシールレイアウトが与えられている。
【０２４５】
図３０に示されるデザイン画像６６１−１のシールレイアウトには、編集作業によって落書き編集が行われた例えば６枚の編集済み画像を１枚ずつ配置させるものと、６枚の編集済み画像に加え、６枚の編集済み画像から利用者に選択された１枚の編集済み画像（以下、選択画像という）を拡大して配置させるものとがある。デザイン画像６６１−１のシールレイアウトをスペシャルレイアウトともいう。
【０２４６】
また、デザイン画像６６２−１のシールレイアウトには、６枚の編集済み画像をそれぞれ拡大した６枚の画像と縮小した６枚の画像の、合わせて１２枚の画像を配置させるものと、６枚の編集済み画像をそれぞれ縮小した６枚の画像と、所定の領域でトリミングした６枚の画像の、合わせて１２枚の画像を配置させるものとがある。デザイン画像６６２−１のシールレイアウトを通常レイアウトともいう。この通常レイアウトのデザイン画像は、利用者がそのデザイン画像の色、すなわちシール紙のふちの色を選択することができるデザイン画像とされる。
【０２４７】
ＯＫボタン６６３−１は、デザイン画像６６１−１，６６２−１のうちの利用者に選択されたデザイン画像を、最終的に出力されるシール紙に印刷されるデザイン画像として決定するためのボタンである。選択済デザイン画像６６４−１は、利用者が選択したデザイン画像に、編集作業によって落書き編集が行われた編集済み画像が配置された画像である。なお、選択済デザイン画像６６４−１は、最終的に出力されるシール紙と同一の大きさで表示される。
【０２４８】
すなわち、利用者により、デザイン画像６６１−１，６６２−１のうちのいずれかのデザイン画像が選択され決定されることで、最終的に出力されるシール紙のシールレイアウトが決定されるようになる。図３０の例では、デザイン画像６６２−１の上段のデザイン画像が選択され決定されて、対応する選択済デザイン画像６６４−１が表示されている。
【０２４９】
また、分割パターン選択操作画面６５１−２には、デザイン画像６６１−２，６６２−２、ＯＫボタン６６３−２、および選択済デザイン画像６６４−２が表示されているが、それぞれ、分割パターン選択操作画面６５１−１に表示されている、デザイン画像６６１−１，６６２−１、ＯＫボタン６６３−１、および選択済デザイン画像６６４−１と同一のものであるので、その説明は省略する。
【０２５０】
なお、図３０の例では、デザイン画像６６１−２の下段の左から２番目のデザイン画像が選択され決定されて、対応する選択済デザイン画像６６４−２が表示されている。
【０２５１】
図２９のフローチャートに戻り、ステップＳ１４３において、入力受付部３１２は、ステップＳ１４２でシール紙のふちの色を選択させるデザイン画像、すなわち、デザイン画像６６２−１または６６２−２が選択されたか否かを判定する。
【０２５２】
ステップＳ１４３において、シール紙のふちの色を選択させるデザイン画像が選択されたと判定された場合、処理はステップＳ１４４に進む。
【０２５３】
ステップＳ１４４において、表示制御部３１１は、タブレット内蔵モニタ１３１に、ステップＳ１４２で選択されたシールレイアウトのデザイン画像であって、撮影画像の写りに応じたふちの色のデザイン画像を選択させる選択画面を表示させ、利用者にふちの色を選択させる。
【０２５４】
ここで、撮影画像の写りとは、撮影処理において利用者に選択される、色合いやシャープネス等、画像の画質を表すものであり、例えば、「シルク」と「ライト」のいずれかが選択可能とされる。写りとして「シルク」が選択された場合、撮影処理において得られる撮影画像は、全てふんわりした感じの画像となり、写りとして「ライト」が選択された場合、撮影処理において得られる撮影画像は、全てくっきりした感じの画像となる。
【０２５５】
図３１は、シール紙のふちの色の選択画面の例を示している。
【０２５６】
図３１に示される選択画面には、タブレット内蔵モニタ１３１に対して左側の利用者に操作される操作画面６７１−１と、タブレット内蔵モニタ１３１に対して右側の利用者に操作される操作画面６７１−２とが表示されている。
【０２５７】
操作画面６７１−１には、ふち色選択用デザイン画像６８１乃至６８４、およびＯＫボタン６８５が表示されている。
【０２５８】
ふち色選択用デザイン画像６８１乃至６８４は、図３０の選択済デザイン画像６６４−１と同一の画像であって、撮影処理において利用者に選択された写りに合ったふちの色のデザイン画像に、編集済み画像が配置された画像である。
【０２５９】
例えば、撮影処理において、写りとして「シルク」が選択されている場合、ふち色選択用デザイン画像６８１乃至６８４のふちの色は、それぞれ白色、黒色、濃いピンク色、紺色とされ、写りとして「ライト」が選択されている場合、ふち色選択用デザイン画像６８１乃至６８４のふちの色は、それぞれ白色、黒色、淡いピンク色、グレーとされる。なお、ここでは、ふち色選択用デザイン画像６８１乃至６８４のふちの色のうち、白色と黒色は、デフォルトで設定された色とされ、他の２色が写りに合った色とされる。
【０２６０】
ＯＫボタン６８５は、利用者により選択されたふち色選択用デザイン画像を、シール紙に印刷されるデザイン画像（ふちの色）として決定させる。これにより、最終的に出力されるシール紙は、例えば６枚の編集済み画像と、ふちの色とが統一感のあるものとなる。
【０２６１】
なお、最終的に出力されるシール紙のふちの所定の部分には、写真シール作成装置１自体の機種名を表す文字列が印字されるが、その機種名を表す文字列の色も、写りに応じて変更されるようにしてもよい。
【０２６２】
一方、操作画面６７１−２には、選択候補画像６９１、ＯＫボタン６９２、および決定済デザイン画像６９３が表示されている。
【０２６３】
選択候補画像６９１は、例えば６枚の編集済み画像であり、利用者によりいずれか１枚が選択される。ＯＫボタン６９２は、利用者により選択された１枚の編集済み画像を選択画像として決定させる。
【０２６４】
決定済デザイン画像６９３は、図３０の選択済デザイン画像６６４−２と同一の画像である。ただし、選択画像表示領域６９３ａには、利用者がＯＫボタン６９２を操作することにより決定された選択画像が表示される。
【０２６５】
図２９のフローチャートに戻り、ステップＳ１４３において、シール紙のふちの色を選択させるデザイン画像が選択されなかったと判定された場合、すなわち、通常レイアウトのデザイン画像が選択されなかった場合、ステップＳ１４４はスキップされ、処理はステップＳ１４５に進む。
【０２６６】
また、ステップＳ１４１において、デザイン画像を選択させる分割パターンが選択されなかったと判定された場合、すなわち、分割パターンとして、「３人用・４人用」または「大分割・小分割」が選択された場合、ステップＳ１４２乃至Ｓ１４４はスキップされ、処理はステップＳ１４５に進む。
【０２６７】
なお、上述では、デザイン画像を選択させる分割パターンは、「２人用」および「記念日分割」であるものとしたが、「３人用・４人用」や「大分割・小分割」を、デザイン画像を選択させる分割パターンとして、シール紙のふちの色を選択させるデザイン画像が選択されるようにしてもよい。この場合、ステップＳ１４１の判断処理は実行されなくなる。
【０２６８】
ステップＳ１４５において、編集処理部３０２は、所定の時間が経過したか否かを判定する。所定の時間が経過していないと判定された場合、処理はステップＳ１４０に戻り、それ以降の処理が繰り返される。そして、ステップＳ１４５において、所定の時間が経過したと判定された場合、処理はステップＳ１４６に進む。
【０２６９】
ステップＳ１４６において、編集処理部３０２は、画面の表示を終了し、編集入力の受け付けを終了する。
【０２７０】
ステップＳ１４７において、編集処理部３０２は、選択されたデザイン画像とそのシールレイアウトについての情報であるレイアウト情報を生成し、シール紙に配置される印刷画像（編集済み画像）とともに、記憶部２０２に保存（記憶）させる。
【０２７１】
ステップＳ１４７の処理が終了すると、編集処理は終了され、処理は図１８のステップＳ５に戻る。
【０２７２】
そして、印刷処理においては、保存された編集済み画像とレイアウト情報とに基づいて、編集済み画像が、レイアウト情報で示されるシールレイアウトのデザイン画像に配置されたシール紙が印刷される。
【０２７３】
以上の処理によれば、撮影画像の写りに応じたシール紙のふちの色が複数表示され、利用者に選択されるので、例えば６枚の編集済み画像が配置されて印刷されるシール紙は、編集済み画像の雰囲気とシール紙のふちの色とが統一感のあるものとなり、結果として、利用者の満足度をより向上させることが可能となる。
【０２７４】
なお、シール紙のふちの部分には、上述した写真シール作成装置１自体の機種名を表す文字列の他に、写真シール作成ゲームにおける撮影が行われた日時、撮影処理において選択された写りや、背景画像の色味等を表す文字が印字されるが、それらの文字のフォント（手書き風やゴシック体等）を、撮影画像の写りに応じて複数表示させ、利用者に選択させるようにしてもよい。
【０２７５】
また、撮影処理において選択された写りに限らず、例えば、編集済み画像の背景色（背景画像の色味群）に応じたシール紙のふちの色を複数表示させ、利用者に選択させるようにしてもよい。具体的には、６枚の編集済み画像の背景色として選択された色の組み合わせや最も多い色に応じたシール紙のふちの色（デザイン画像）を、予め複数設定しておき、それらを表示させるようにする。
【０２７６】
さらに、６枚の編集済み画像の背景画像が、図柄等のない色のみの背景画像である場合には、図柄を含んだシール紙のふちの色を複数表示させ、利用者に選択させるようにしてもよい。
【０２７７】
以上により、最終的に印刷されるシール紙は、編集済み画像の雰囲気とシール紙のふちの色とが統一感のある上にデザイン性に富んだものとなり、結果として、利用者の満足度をより一層向上させることが可能となる。
【０２７８】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２７９】
この記録媒体は、例えば、図１４に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MD（Mini-Disc（登録商標））を含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２８０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【符号の説明】
【０２８１】
１  写真シール作成装置
２０１  制御部
３０１  撮影処理部
３０２  編集処理部
３０３  印刷処理部
３０４  事後接客処理部
３１１  表示制御部
３１２  入力受付部
３１３  合成処理部
３２１  変更部
３２２  合成部
【図１】
2014149674.tif 000003
【図２】
2014149674.tif 000004
【図３】
2014149674.tif 000005
【図４】
2014149674.tif 000006
【図５】
2014149674.tif 000007
【図６】
2014149674.tif 000008
【図７】
2014149674.tif 000009
【図８】
2014149674.tif 000010
【図９】
2014149674.tif 000011
【図１０】
2014149674.tif 000012
【図１１】
2014149674.tif 000013
【図１２】
2014149674.tif 000014
【図１３】
2014149674.tif 000015
【図１４】
2014149674.tif 000016
【図１５】
2014149674.tif 000017
【図１６】
2014149674.tif 000018
【図１７】
2014149674.tif 000019
【図１８】
2014149674.tif 000020
【図１９】
2014149674.tif 000021
【図２０】
2014149674.tif 000022
【図２１】
2014149674.tif 000023
【図２２】
2014149674.tif 000024
【図２３】
2014149674.tif 000025
【図２４】
2014149674.tif 000026
【図２５】
2014149674.tif 000027
【図２６】
2014149674.tif 000028
【図２７】
2014149674.tif 000029
【図２８】
2014149674.tif 000030
【図２９】
2014149674.tif 000031
【図３０】
2014149674.tif 000032
【図３１】
2014149674.tif 000033